(57)【特許請求の範囲】
【請求項１】
スクリーンに投影画像を投影する表示装置であって、
前記表示装置の設置状態を示す設置情報を取得する設置情報取得手段と、
前記スクリーンに前記投影画像を投影する、前記表示装置を含む複数の表示装置の構成を示す構成情報を取得する構成情報取得手段と、
設置情報取得手段が取得した前記設置情報が示す前記設置状態、及び前記構成情報取得手段が取得した前記構成情報が示す前記構成に対応する操作用画像を生成する画像作成手段と、
前記操作用画像を含む前記投影画像を出力する画像出力手段と、
を有し、
前記画像作成手段は、
前記複数の表示装置が投影する前記投影画像の配置順を特定するための情報を含む前記操作用画像を生成し、
前記設置情報が、前記スクリーンの背面から前記投影画像が投影されるリア設置状態を示している場合に、前記設置情報が、前記スクリーンの正面から前記投影画像が投影されるフロント設置状態を示している場合に生成するフロント操作用画像に対応する第１の配置順と異なる第２の配置順に対応するリア操作用画像を生成することを特徴とする表示装置。
【請求項２】
前記スクリーンに投影する対象となる表示画像を取得する表示画像取得手段をさらに有し、
前記画像作成手段は、前記表示画像に前記操作用画像を重畳することにより重畳画像を生成し、前記重畳画像の向きを前記設置情報に基づく向きに反転することにより前記投影画像を生成することを特徴とする、
請求項１に記載の表示装置。
【請求項３】
スクリーンに投影画像を投影する表示装置であって、
前記表示装置の設置状態を示す設置情報を取得する設置情報取得手段と、
前記スクリーンに前記投影画像を投影する、前記表示装置を含む複数の表示装置の構成を示す構成情報を取得する構成情報取得手段と、
設置情報取得手段が取得した前記設置情報が示す前記設置状態、及び前記構成情報取得手段が取得した前記構成情報が示す前記構成に対応する操作用画像を生成する画像作成手段と、
前記操作用画像を含む前記投影画像を出力する画像出力手段と、
前記スクリーンに投影する対象となる表示画像を取得する表示画像取得手段と、
を有し、
前記画像作成手段は、前記表示画像の向きを、前記設置情報取得手段が取得した前記設置情報に基づく向きに反転することにより反転画像を生成するとともに、前記反転画像に前記操作用画像を重畳することにより前記投影画像を生成することを特徴とする、
表示装置。
【請求項４】
他の前記表示装置との間で互いにデータを送受信するための通信手段と、
前記操作用画像に基づく操作を受け付ける操作受付手段をさらに有し、
前記通信手段は、マスター装置に設定された場合に、前記操作受付手段が受け付けた操作の対象となるスレーブ装置に設定された他の表示装置に対して、操作の内容を示す操作情報を送信することを特徴とする、
請求項１から３のいずれか１項に記載の表示装置。
【請求項５】
前記通信手段は、前記マスター装置に設定された場合に、前記スレーブ装置に設定された他の表示装置から前記構成情報を受信することを特徴とする、
請求項４に記載の表示装置。
【請求項６】
前記設置情報取得手段は、前記表示装置が、前記スクリーンの背面から前記投影画像が投影されるリア設置状態、前記スクリーンの正面から前記投影画像が投影されるフロント設置状態、前記表示装置が上下方向の第１の向きで設置される据置設置状態、及び前記表示装置が前記第１の向きと反対の第２の向きで設置される天吊り設置状態のいずれの状態であるかを示す前記設置情報を取得することを特徴とする、
請求項１から５のいずれか１項に記載の表示装置。
【請求項７】
前記構成情報取得手段は、前記複数の表示装置が、横方向に配置されている横置き構成であるか、縦方向に配置されている縦置き構成であるかを示す前記構成情報を取得することを特徴とする、
請求項１から６のいずれか１項に記載の表示装置。
【請求項８】
表示装置を用いてスクリーンに投影画像を投影する表示方法であって、
前記表示装置の設置状態を示す設置情報を取得するステップと、
前記スクリーンに前記投影画像を投影する複数の表示装置の構成を示す構成情報を取得するステップと、
前記設置情報が示す前記設置状態、及び前記構成情報が示す前記構成に対応する操作用画像を生成するステップと、
前記操作用画像を含む前記投影画像を出力するステップと、を有し、
前記操作用画像を生成するステップは、
前記複数の表示装置が投影する前記投影画像の配置順を特定するための情報を含む前記操作用画像を生成し、
前記設置情報が、前記スクリーンの背面から前記投影画像が投影されるリア設置状態を示しているか否かを判定するステップと、
前記設置情報が、前記スクリーンの背面から前記投影画像が投影されるリア設置状態を示していると判定した場合に、前記設置情報が、前記スクリーンの正面から前記投影画像が投影されるフロント設置状態を示している場合に生成するフロント操作用画像に対応する第１の配置順と異なる第２の配置順に対応するリア操作用画像を生成するステップと、を有することを特徴とする表示方法。
【請求項９】
前記スクリーンに投影する対象となる表示画像を取得するステップと、
前記表示画像に前記操作用画像を重畳することにより重畳画像を生成するステップと、前記重畳画像の向きを前記設置情報に基づく向きに反転することにより前記投影画像を生成するステップと、
を有することを特徴とする、
請求項８に記載の表示方法。
【請求項１０】
表示装置を用いてスクリーンに投影画像を投影する表示方法であって、
前記表示装置の設置状態を示す設置情報を取得するステップと、
前記スクリーンに前記投影画像を投影する複数の表示装置の構成を示す構成情報を取得するステップと、
前記設置情報が示す前記設置状態、及び前記構成情報が示す前記構成に対応する操作用画像を生成するステップと、
前記操作用画像を含む前記投影画像を出力するステップと、
前記スクリーンに投影する対象となる表示画像を取得するステップと、を有し、
前記表示画像の向きを前記設置情報に基づく向きに反転することにより反転画像を生成するステップと、
前記反転画像に前記操作用画像を重畳することにより前記投影画像を生成するステップと、
を有することを特徴とする表示方法。
【請求項１１】
前記操作用画像に基づく操作を受け付けるステップと、
前記表示装置がマスター装置に設定された場合に、受け付けた操作の対象となるスレーブ装置に設定された他の表示装置に対して、操作の内容を示す操作情報を送信するステップと、
をさらに有することを特徴とする、
請求項８から１０のいずれか１項に記載の表示方法。
【請求項１２】
前記表示装置が前記マスター装置に設定された場合に、前記スレーブ装置に設定された他の表示装置から前記構成情報を受信するステップをさらに有することを特徴とする、
請求項１１に記載の表示方法。
【請求項１３】
スクリーンに投影画像を投影するマスター装置及びスレーブ装置を含む複数の表示装置を有する表示システムであって、
前記マスター装置は、
前記複数の表示装置の設置状態を示す設置情報を取得する設置情報取得手段と、
前記複数の表示装置の構成を示す構成情報を取得する構成情報取得手段と、
設置情報取得手段が取得した前記設置情報が示す前記設置状態、及び前記構成情報取得手段が取得した前記構成情報が示す前記構成に対応する操作用画像を生成する画像作成手段と、
前記スクリーンに投影する対象となる表示画像を取得する表示画像取得手段と、
前記操作用画像を含む前記投影画像を出力する画像出力手段と、
前記操作用画像に基づく操作を受け付ける操作受付手段と、
前記操作受付手段が受け付けた操作の対象となる前記スレーブ装置に対して、前記操作の内容を示す操作情報を送信するマスター通信手段と、
を有し、
前記画像作成手段は、前記表示画像の向きを、前記設置情報取得手段が取得した前記設置情報に基づく向きに反転することにより反転画像を生成するとともに、前記反転画像に前記操作用画像を重畳することにより前記投影画像を生成し、
前記スレーブ装置は、
前記マスター装置が送信した前記操作情報を受信するスレーブ通信手段と、
前記スレーブ通信手段が受信した前記操作情報に基づいて設定内容を変更する制御手段と、
を有することを特徴とする表示システム。
【請求項１４】
前記マスター通信手段は、前記スレーブ通信手段から、前記スレーブ装置の前記設定内容を示す設定情報を受信することを特徴とする、
請求項１３に記載の表示システム。
【発明の詳細な説明】
【技術分野】
【０００１】
本発明は、スクリーンに画像を表示する表示装置、表示装置を用いて画像を表示する方法、及び複数の表示装置を含む表示システムに関するものである。
【背景技術】
【０００２】
従来、スクリーンに画像を投影して表示するプロジェクタの投影方法として、スクリーンに対して正面から投影するフロント投影、及び背面から投影するリア投影が知られている。リア投影は透過型スクリーンを用いて実現され、視聴者からプロジェクタが見えないという利点、及び視聴者の影がスクリーンに映らないといった利点があるため、様々な場面で使用されている。リア投影の際にフロント投影と同じ画像を投影すると、視聴者には左右が反転した画像が見えてしまう。特許文献1には、リア投影時に、元画像の左右を反転させた表示画像をプロジェクタが投影することにより、視聴者が、元画像と同じ向きに表示された投影画像を見ることができるようにする技術が記載されている。
【先行技術文献】
【特許文献】
【０００３】
【特許文献１】特開２００６−２９３１２４号公報
【発明の概要】
【発明が解決しようとする課題】
【０００４】
プロジェクタは、画像を投影している間に、画質の調整操作や画像ソースの切り替え操作等を行えるように、投影中の画像に重畳させてメニュー画像４０を表示する。ところが、プロジェクタは、設置状態に応じて、表示画像を上下反転させたり左右反転させたりする。表示画像に合わせてメニュー画像４０が上下反転又は左右反転した状態で表示されると、操作性が低下するという問題があった。例えば、複数の表示装置が投影する複数の投影画像を組み合わせてリア投影をする場合に、複数の表示装置の夫々を調整するためのメニュー画像４０の表示方法が適切でないと、調整すべき表示装置と異なる表示装置を調整してしまうという問題があった。
【０００５】
そこで、本発明は上述した点に鑑みてなされたものであり、設置状態によらず良好な操作性を維持できる表示装置、表示方法及び表示システムを提供することを目的とする。
【課題を解決するための手段】
【０００６】
上記の課題を解決するために、本発明の表示装置は、スクリーンに投影画像を投影する表示装置であって、前記表示装置の設置状態を示す設置情報を取得する設置情報取得手段と、前記スクリーンに前記投影画像を投影する、前記表示装置を含む複数の表示装置の構成を示す構成情報を取得する構成情報取得手段と、設置情報取得手段が取得した前記設置情報が示す前記設置状態、及び前記構成情報取得手段が取得した前記構成情報が示す前記構成に対応する操作用画像を生成する画像作成手段と、前記操作用画像を含む前記投影画像を出力する画像出力手段と、を有し、前記画像作成手段は、前記複数の表示装置が投影する前記投影画像の配置順を特定するための情報を含む前記操作用画像を生成し、前記設置情報が、前記スクリーンの背面から前記投影画像が投影されるリア設置状態を示している場合に、前記設置情報が、前記スクリーンの正面から前記投影画像が投影されるフロント設置状態を示している場合に生成するフロント操作用画像に対応する第１の配置順と異なる第２の配置順に対応するリア操作用画像を生成することを特徴とする。
【０００７】
また、本発明の表示方法は、表示装置を用いてスクリーンに投影画像を投影する表示方法であって、前記表示装置の設置状態を示す設置情報を取得するステップと、前記スクリーンに前記投影画像を投影する複数の表示装置の構成を示す構成情報を取得するステップと、前記設置情報が示す前記設置状態、及び前記構成情報が示す前記構成に対応する操作用画像を生成するステップと、前記操作用画像を含む前記投影画像を出力するステップと、を有し、前記操作用画像を生成するステップは、前記複数の表示装置が投影する前記投影画像の配置順を特定するための情報を含む前記操作用画像を生成し、前記設置情報が、前記スクリーンの背面から前記投影画像が投影されるリア設置状態を示しているか否かを判定するステップと、前記設置情報が、前記スクリーンの背面から前記投影画像が投影されるリア設置状態を示していると判定した場合に、前記設置情報が、前記スクリーンの正面から前記投影画像が投影されるフロント設置状態を示している場合に生成するフロント操作用画像に対応する第１の配置順と異なる第２の配置順に対応するリア操作用画像を生成するステップと、を有することを特徴とする。
【０００８】
また、本発明の表示システムは、スクリーンに投影画像を投影するマスター装置及びスレーブ装置を含む複数の表示装置を有する表示システムであって、前記マスター装置は、前記複数の表示装置の設置状態を示す設置情報を取得する設置情報取得手段と、前記複数の表示装置の構成を示す構成情報を取得する構成情報取得手段と、設置情報取得手段が取得した前記設置情報が示す前記設置状態、及び前記構成情報取得手段が取得した前記構成情報が示す前記構成に対応する操作用画像を生成する画像作成手段と、前記スクリーンに投影する対象となる表示画像を取得する表示画像取得手段と、前記操作用画像を含む前記投影画像を出力する画像出力手段と、前記操作用画像に基づく操作を受け付ける操作受付手段と、前記操作受付手段が受け付けた操作の対象となる前記スレーブ装置に対して、前記操作の内容を示す操作情報を送信するマスター通信手段と、を有し、前記画像作成手段は、前記表示画像の向きを、前記設置情報取得手段が取得した前記設置情報に基づく向きに反転することにより反転画像を生成するとともに、前記反転画像に前記操作用画像を重畳することにより前記投影画像を生成し、前記スレーブ装置は、前記マスター装置が送信した前記操作情報を受信するスレーブ通信手段と、前記スレーブ通信手段が受信した前記操作情報に基づいて設定内容を変更する制御手段と、を有することを特徴とする。
【発明の効果】
【０００９】
本発明によれば、表示装置の設置状態によらず良好な操作性を維持できるという効果を奏する。
【図面の簡単な説明】
【００１０】
【図１Ａ】表示システムの概要を説明するための図である。
【図１Ｂ】表示システムの概要を説明するための図である。
【図２】表示システムを用いた場合の投影態様の一例を示す図である。
【図３】プロジェクタ１の構成を示す図である。
【図４】画像処理部２１の構成を示す図である。
【図５】画像処理部２１が表示画像をどのように変換するかを示す表である。
【図６】画像処理部２１がメニュー画像４０をどのように変換するかを示す表である。
【図７】プロジェクタ１における動作手順を説明するためのフローチャートである。
【図８】プロジェクタ１の設置状態に応じて投影画像の態様を決定する処理のフローチャートである。
【図９】画像作成部１１３がＯＳＤ画像としてのメニュー画像４０を作成する処理のフローチャートである。
【図１０】マルチ投影の際に画像作成部１１３が作成するメニュー画像４０を示す図である。
【図１１】第２の実施形態に係る画像処理部２１の構成を示す図である。
【図１２】第２の実施形態に係る画像処理部２１がメニュー画像４０をどのように変換するかを示す表である。
【図１３】マルチ投影の際に第２の実施形態に係る画像作成部１１３が作成するメニュー画像４０を示す図である。
【図１４】マスター装置であるプロジェクタ１ｃのＣＰＵ１１が、投影画像の態様を決定する処理のフローチャートである。
【発明を実施するための形態】
【００１１】
＜第１の実施形態＞
［表示システムの概要］
図１は、第１の実施形態に係る表示システムの概要を説明するための図である。第１の実施形態に係る表示システムは、複数のプロジェクタ１ａ，１ｂ，１ｃを含んで構成されている。プロジェクタ１ａ，１ｂ，１ｃは、例えば、スクリーン２に投影画像３０を投影する表示装置である。本明細書において、プロジェクタ１ａ，１ｂ，１ｃに共通する機能について説明する場合に、プロジェクタ１と称することがある。
【００１２】
プロジェクタ１ａ，１ｂ，１ｃは、コンピュータ等の外部装置（不図示）から入力された表示画像に基づいて投影画像３０ａ，３０ｂ，３０ｃを生成し、投影画像３０ａ，３０ｂ，３０ｃが一つに統合された投影画像３０をスクリーン２に投影するマルチ投影モードで動作することができる。プロジェクタ１ａ，１ｂ，１ｃは、外部装置からの制御に基づいて、入力された表示画像において、各プロジェクタ１が投影すべき領域の表示画像に基づく投影画像３０を投影する。外部装置は、プロジェクタ１００と通信を行うことができるものであれば、パーソナルコンピュータ、カメラ、携帯電話、スマートフォン、ハードディスクレコーダ、ゲーム機、又はリモコン等の任意の装置であってよい。
【００１３】
図１Ａ（ａ）は、視聴者側にプロジェクタ１ａ，１ｂ，１ｃが設置され、スクリーン２の正面から投影画像３０が投影されるフロント投影に対応するフロント設置状態を示している。プロジェクタ１ａは、投影画像３０ａを投影しており、プロジェクタ１ｂは、投影画像３０ｂを投影しており、プロジェクタ１ｃは、投影画像３０ｃを投影している。
【００１４】
プロジェクタ１ｃは、マスター装置として動作するモードに設定されており、投影画像３０の色補正をしたり、投影画像３０ａ，３０ｂ，３０ｃの重なり領域の明るさの補正をしたりするための操作用画像であるメニュー画像４０を、投影画像３０ｃに重畳して表示させる。メニュー画像４０には、投影画像３０ａ，３０ｂ，３０ｃの夫々に対応する複数の操作領域が含まれている。メニュー画像４０には、例えば、何台のプロジェクタがどのような配置で設置されているかに関する情報、現在操作しているプロジェクタの物理的な位置を示す情報、物理的な配置に関わる設定情報が含まれている。マスター装置に設定されたプロジェクタ１ｃは、複数の表示画像のうち、どの表示画像を投影するかを指示する情報を、スレーブ装置として動作する他のプロジェクタ１（例えば、プロジェクタ１ａ，１ｂ）に通知してもよい。
【００１５】
プロジェクタ１ｃは、マルチ投影モードで動作している間に操作者がメニュー画像４０を表示させる操作をすると、投影画像３０ａ，３０ｂ，３０ｃの配置順を特定するための情報として、投影画像３０ａ，３０ｂ，３０ｃに表示された文字（例えば、図１Ａ（ａ）における「Ａ」，「Ｂ」，「Ｃ」の文字）、記号又は絵に対応する文字、記号又は絵を含むメニュー画像４０を表示させる。これらの文字、記号又は絵によって、操作者は、メニュー画像４０に含まれる複数の操作領域のうち、どの操作領域が投影画像３０ａ，３０ｂ，３０ｃのうちのどれに対応するかを把握することができる。メニュー画像４０に含まれている文字Ａ，Ｂ，Ｃの配置順が投影画像３０ａ，３０ｂ，３０ｃに含まれている文字Ａ，Ｂ，Ｃの配置順と同一なので、操作者は、調整したい投影画像を正しく調整することができる。
【００１６】
図１Ａ（ｂ）は、操作者側にプロジェクタ１ａ，１ｂ，１ｃが設置され、スクリーン２の背面から投影画像３０が投影されるリア投影に対応するリア設置状態を示している。プロジェクタ１ａ，１ｂ，１ｃが投影画像３０を透過型のスクリーン２に投影することにより、視聴者は、投影画像３０ａ，３０ｂ，３０ｃを視認することができる。しかし、図１Ａ（ｂ）に示すように、プロジェクタ１ａ，１ｂ，１ｃが、図１Ａ（ａ）と同じように投影画像３０を投影すると、視聴者は、裏返し状態の表示画像Ａ，Ｂ，Ｃを視認することになる。
【００１７】
図１Ｂ（ａ）は、リア設置状態において、視聴者が正しい向きの画像を視認できるようにした状態を示している。プロジェクタ１ａは、表示画像を左右に反転させることにより投影画像３０ａを生成し、プロジェクタ１ｂは、表示画像を左右に反転させることにより投影画像３０ｂを生成し、プロジェクタ１ｃは、表示画像を左右に反転させることにより投影画像３０ｃを生成している。このようにすることで、視聴者は、投影画像３０ａ，３０ｂ，３０ｃを正しい向きで視認することができる。しかし、プロジェクタ１ｃがメニュー画像４０も左右に反転して投影しているので、図１Ｂ（ｂ）に示すように、操作者がメニューの内容を視認しづらい状態になっている。
【００１８】
そこで、図１Ｂ（ｃ）に示すように、プロジェクタ１ｃがメニュー画像４０を左右に反転させないように制御することが考えられる。しかし、この場合、投影画像３０ａ，３０ｂ，３０ｃの配置順とメニュー画像４０に含まれている文字Ａ，Ｂ，Ｃの配置順とが異なっているので、操作者が、調整したいと考えている投影画像と異なる投影画像を調整してしまうおそれが生じてしまう。
【００１９】
図２は、第１の実施形態に係る表示システムを用いた場合の投影態様の一例を示す図である。図２（ａ）に示すように、プロジェクタ１ａ，１ｂ，１ｃを連動させてリア投影をする場合であっても、視聴者は、投影画像３０ａ，３０ｂ，３０ｃを正しく視認することができる。また、図２（ｂ）に示すように、操作者は、投影画像３０ａ，３０ｂ，３０ｃの配置順に対応する順番に操作領域が配置されたメニュー画像４０を視認することができる。したがって、操作者が投影画像３０ａ，３０ｂ，３０ｃを調整する場合の操作性が向上する。
【００２０】
［プロジェクタ１の構成及び動作の説明］
以下、本実施形態に係るプロジェクタ１の構成及び動作について詳細に説明する。
図３は、プロジェクタ１の構成を示す図である。プロジェクタ１は、例えば、透過型液晶パネルを用いたプロジェクタである。プロジェクタ１は、表示画像に応じて液晶素子の光の透過率を制御して、液晶素子を透過した光源からの光をスクリーンに投影することで、表示画像に対応する投影画像３０を視聴者に提示する。プロジェクタ１は、表示デバイスとして透過型液晶パネルを用いたプロジェクタに限らず、ＤＬＰ、ＬＣＯＳ（反射型液晶）パネル等の表示デバイスを用いた任意のプロジェクタであってもよい。また、液晶プロジェクタとしては、単板式及び３板式が一般に知られているが、どちらの方式の液晶プロジェクタであってもよい。
【００２１】
プロジェクタ１は、ＣＰＵ１１と、ＲＯＭ１２と、ＲＡＭ１３と、操作部１４と、画像入力部１５と、記録再生部１６と、撮像部１７と、通信部１８と、表示制御部１９と、表示部２０と、画像処理部２１と、光源制御部２２と、光源２３と、色分離部２４と、画像出力部２５と、を有する。画像入力部１５、記録再生部１６、撮像部１７及び通信部１８は、スクリーン２に投影する対象となる表示画像を取得する表示画像取得手段として機能する。また、ＣＰＵ１１及び画像処理部２１は、連動することにより画像作成手段として機能する。
【００２２】
ＣＰＵ１１は、ＲＯＭ１２に記憶された制御プログラムを実行することにより、プロジェクタ１の各動作ブロックを制御する。ＲＯＭ１２は、ＣＰＵ１１の処理手順を記述した制御プログラムを記憶している。ＲＡＭ１３は、ワークメモリとして一時的に制御プログラムやデータを格納する。
【００２３】
ＣＰＵ１１は、記録再生部１６が記録媒体１６１から読み込んだ静止画データ又は動画データを一時的に記憶した後に、画像又は映像を再生する。また、ＣＰＵ１１は、通信部１８を介して受信した静止画データ又は動画データを一時的に記憶した後に、画像又は映像を再生することもできる。また、ＣＰＵ１１は、撮像部１７が撮像することにより得られた画像又は映像の生データを一時的にＲＡＭ１３に記憶し、生データを静止画データ又は動画データに変換して記録媒体１６１に記録させることもできる。
【００２４】
ＣＰＵ１１は、制御プログラムを実行することにより、設置情報取得部１１１、構成情報取得部１１２及び画像作成部１１３として機能する。
設置情報取得部１１１は、例えば操作部１４又は通信部１８を介して、プロジェクタ１の設置状態を示す設置情報を取得する。設置情報は、プロジェクタ１が設置されている位置又はプロジェクタ１が設置されている向きを示す情報を含んでいる。設置情報は、例えば、プロジェクタ１がスクリーン２の背面の位置に設置されたリア設置状態、プロジェクタ１がスクリーン２の正面の位置に設置されたフロント設置状態、プロジェクタ１が上下方向の第１の向きで机に設置される据置設置状態、及びプロジェクタ１が第１の方向と反対の第２の向きに天井に設置される天吊り設置状態のうち、どの状態であるかを示す情報である。
【００２５】
構成情報取得部１１２は、例えば操作部１４を介して、プロジェクタ１を含む複数のプロジェクタ１（プロジェクタ１ａ，１ｂ，１ｃ）の構成を示す構成情報を取得する。構成情報は、複数のプロジェクタ１の台数を示す情報を含んでいる。マスター装置に設定されているプロジェクタ１ｃの構成情報取得部１１２は、通信部１８を介して、スレーブ装置に設定されているプロジェクタ１ａ，１ｂから、夫々に設定されている各種の設定情報を、構成情報の一部として取得してもよい。構成情報取得部１１２は、取得した設定情報に基づいて、どのプロジェクタ１がプロジェクタ１ｃに接続されているかという構成を特定することができる。なお、構成情報は、複数のプロジェクタ１が横方向に配置されている横置き構成であるか縦方向に配置されている縦置き構成であるかを示す情報を含んでもよい。図２に示したプロジェクタ１ａ，１ｂ，１ｃは、横置き構成である。
【００２６】
画像作成部１１３は、操作者がプロジェクタ１ａ，１ｂ，１ｃの設定内容を変更するために用いられるメニュー画像４０を作成する。画像作成部１１３は、プロジェクタ１が単独で使用される場合、プロジェクタ１自身の設定内容を変更するために用いられるメニュー画像４０を作成する。画像作成部１１３は、プロジェクタ１が他のプロジェクタ１と連動してマルチ投影モードで使用される場合であり、かつプロジェクタ１がマスター装置に設定されている場合に、連動して使用される複数のプロジェクタ１の設定を変更するために用いられるメニュー画像４０を作成する。画像作成部１１３は、作成したメニュー画像４０を画像処理部２１へと出力する。
【００２７】
具体的には、画像作成部１１３は、設置情報取得部１１１が取得した設置情報が示す設置状態、及び構成情報取得部１１２が取得した構成情報が示す構成に対応するメニュー画像４０を生成する。画像作成部１１３は、例えば、複数のプロジェクタ１が投影する投影画像３０ａ，３０ｂ，３０ｃの配置順を特定するための情報を含むメニュー画像４０を生成する。
【００２８】
より具体的には、画像作成部１１３は、設置情報がフロント設置状態を示している場合に、図１Ａ（ａ）に示したフロント操作用画像としてのメニュー画像４０を生成する。また、画像作成部１１３は、設置情報がリア設置状態を示している場合に、設置情報がフロント設置状態を示している場合に生成するフロント操作用画像に対応する第１の配置順と異なる第２の配置順に対応するリア操作用画像として、図２（ｂ）に示したメニュー画像４０を生成する。
【００２９】
操作部１４は、ユーザの指示を受け付け、ＣＰＵ１１に指示信号を送信する操作受付手段として機能するデバイスであり、例えば、スイッチ、ダイヤル、表示部２０上に設けられたタッチパネル等である。操作部１４は、例えば、リモコンからの信号を受信する赤外線受信部を有しており、受信した信号に基づいて所定の指示信号をＣＰＵ１１に送信してもよい。操作部１４は、メニュー画像４０がスクリーン２に投影されている際に、メニュー画像４０に基づく操作を受け付けて、受け付けた操作内容をＣＰＵ１１に通知する。
【００３０】
画像入力部１５は、外部装置から画像信号を受信するインタフェースを含んでおり、例えば、コンポジット端子、Ｓ映像端子、Ｄ端子、コンポーネント端子、アナログＲＧＢ端子、ＤＶＩ−Ｉ端子、ＤＶＩ−Ｄ端子、又はＨＤＭＩ（登録商標）端子等を含む。画像入力部１５は、アナログ画像信号を受信した場合には、受信したアナログ画像信号をデジタル画像信号に変換する。画像入力部１５は、受信した画像信号を画像処理部２１に送信する。
【００３１】
記録再生部１６は、記録媒体１６１から静止画データ又は動画データを読み込んだり、撮像部１７により得られた画像又は映像に基づく静止画データ又は動画データをＣＰＵ１１から受信して記録媒体１６１に記録したりするものである。また、記録再生部１６は、通信部１８から受信した静止画データ又は動画データを記録媒体１６１に記録してもよい。
【００３２】
記録再生部１６は、例えば、記録媒体１６１と電気的に接続されたインタフェース、及び記録媒体１６１と通信するためのマイクロプロセッサを含む。なお、記録再生部１６が、専用のマイクロプロセッサを含む必要はなく、例えば、ＲＯＭ１２に記憶されたプログラムによって、ＣＰＵ１１が、記録再生部１６が有するマイクロプロセッサと同様の処理を実行してもよい。
【００３３】
記録媒体１６１は、静止画データ又は動画データの他に、プロジェクタ１の制御に必要な制御データを記録することもできる。記録媒体１６１は、磁気ディスク、光学式ディスク、半導体メモリなどのあらゆる方式の記録媒体であってよく、着脱可能な記録媒体であっても、内蔵型の記録媒体であってもよい。
【００３４】
撮像部１７は、プロジェクタ１の周辺を撮像して画像信号を取得するカメラである。撮像部１７は、被写体の光学像を取得するレンズ、レンズを駆動するアクチュエータ、アクチュエータを制御するマイクロプロセッサ、レンズを介して取得した光学像を画像信号に変換する撮像素子、及び撮像素子により得られた画像信号をデジタル信号に変換するＡＤ変換部等を有する。撮像部１７は、例えば、画像出力部２５を介してスクリーン２に投影された画像を撮影することができる。撮像部１７は、撮影により得られた画像又は映像をＣＰＵ１１に送信する。なお、撮像部１７は、スクリーン２に投影された投影画像３０を撮影するだけに限られず、例えば、スクリーン２を見ている視聴者側を撮影してもよい。
【００３５】
通信部１８は、外部装置からの制御信号や静止画データ、動画データなどを受信するためのインタフェースであり、例えば、無線ＬＡＮ、有線ＬＡＮ、ＵＳＢ、Ｂｌｕｅｔｏｏｔｈ（登録商標）等であってよく、通信方式を特に限定するものではない。通信部１８は、画像入力部１５の端子が、例えばＨＤＭＩ（登録商標）端子であれば、その端子を介してＣＥＣ通信を行ってもよい。
【００３６】
また、通信部１８は、ケーブル（不図示）を介して、他のプロジェクタ１との間でデータを送受信することもできる。マスター装置に設定されているプロジェクタ１ｃの通信部１８は、ＣＰＵ１１の制御に基づいて、操作部１４がメニュー画像４０に基づく操作を受け付けた場合に、操作部１４が受け付けた操作の対象となるスレーブ装置に設定されたプロジェクタ１ａ，１ｂに対して、操作の内容を示す操作情報を送信する。例えば、通信部１８は、設置情報及び構成情報に基づいて、プロジェクタ１ａ，１ｂが投影する表示画像を入れ替える必要がある場合、プロジェクタ１ａ，１ｂが投影する対象となる表示画像を特定するための情報を送信する。スレーブ装置に設定されたプロジェクタ１ａ，１ｂは、操作情報を受信すると、操作情報をＣＰＵ１１に通知し、ＣＰＵ１１は操作情報に基づいて、投影する画質等に関する設定内容を変更したり、投影する表示画像を変更したりする。
【００３７】
また、マスター装置に設定されたプロジェクタ１ｃの通信部１８は、スレーブ装置に設定されたプロジェクタ１ａ，１ｂから、夫々に設定された設定情報を、構成情報の一部として受信する。通信部１８は、受信した設定情報をＣＰＵ１１の構成情報取得部１１２に通知する。
【００３８】
表示制御部１９は、プロジェクタ１に備えられた表示部２０に、プロジェクタ１を操作するための操作画面又はスイッチアイコン等の操作画像を表示させるための制御をする。表示制御部１９は、例えば、表示制御を行うマイクロプロセッサを有する。表示制御部１９が、専用のマイクロプロセッサを有する必要はなく、例えば、ＲＯＭ１２に記憶された制御プログラムによって、ＣＰＵ１１が表示制御部１９に含まれるマイクロプロセッサと同様の処理を実行してもよい。
【００３９】
表示部２０は、プロジェクタ１を操作するための操作画面及びスイッチアイコンを表示するディスプレイである。表示部２０は、画像を表示できればどのようなものであってもよい。表示部２０は、例えば、液晶ディスプレイ、ＣＲＴディスプレイ、有機ＥＬディスプレイ、又はＬＥＤディスプレイである。表示部２０は、特定のボタンをユーザに認識しやすくするために、各ボタンに対応するＬＥＤ等を発光させる機能を有してもよい。
【００４０】
画像処理部２１は、画像入力部１５から受信した画像信号にフレーム数、画素数、画像形状などの変更処理を施して、画像出力部２５に送信する。画像処理部２１は、フレーム間引き処理、フレーム補間処理、解像度変換処理、歪み補正処理（キーストン補正処理）といった機能を実行することが可能である。また、画像処理部２１は、画像入力部１５から受信した画像信号以外にも、ＣＰＵ１１によって再生された画像や映像に対して前述の変更処理を施すこともできる。
【００４１】
また、画像処理部２１は、表示画像にメニュー画像４０を重畳することにより重畳画像を生成し、重畳画像の向きを設置情報に基づく向きに反転することにより投影画像３０を生成する。画像処理部２１の構成の詳細については、後述する。
【００４２】
なお、画像処理部２１は、例えば画像処理用のマイクロプロセッサを有する。ただし、画像処理部２１が専用のマイクロプロセッサを有する必要はなく、例えば、ＲＯＭ１２に記憶された制御プログラムによって、ＣＰＵ１１が、画像処理部２１が有するマイクロプロセッサと同様の処理を実行してもよい。
【００４３】
光源制御部２２は、光源２３のオン／オフの制御及び光量の制御をするものであり、制御用のマイクロプロセッサを含んでいる。光源制御部２２は、専用のマイクロプロセッサを含まなくてもよく、例えば、ＲＯＭ１２に記憶された制御プログラムに基づいて、ＣＰＵ１１が、光源制御部２２が有するマイクロプロセッサと同様の処理を実行してもよい。
【００４４】
光源２３は、スクリーン２に投影画像３０を投影するための光を出力する。光源２３は、例えば、ハロゲンランプ、キセノンランプ、又は高圧水銀ランプ等である。
【００４５】
色分離部２４は、光源２３から出力された光を、赤色（Ｒ）、緑色（Ｇ）、青色（Ｂ）に分離するものであり、例えば、ダイクロイックミラー及びプリズム等を有する。色分離部２４は、分離後の光を画像出力部２５に対して出力する。なお、光源２３として、各色に対応するＬＥＤ等を使用する場合には、色分離部２４は不要である。
【００４６】
画像出力部２５は、画像処理部２１が生成した投影画像３０を出力し、スクリーン２に投影する。画像出力部２５は、液晶素子２５１と、液晶制御部２５２と、色合成部２５３と、投影光学系２５４と、光学系制御部２５５とを有する。
【００４７】
液晶素子２５１は、赤色、緑色及び青色に対応する素子を有しており、液晶制御部２５２の制御に基づいて、画像処理部２１から入力された投影画像３０に対応する透過率の光を出力する。
液晶制御部２５２は、液晶素子２５１を制御するマイクロプロセッサを有している。液晶制御部２５２の代わりに、ＣＰＵ１１が液晶素子２５１を制御してもよい。
【００４８】
色合成部２５３は、液晶素子２５１を透過した赤色（Ｒ）、緑色（Ｇ）、青色（Ｂ）の光を合成するものであり、例えば、ダイクロイックミラーやプリズム等を有する。色合成部２５３は、赤色（Ｒ）、緑色（Ｇ）、青色（Ｂ）の各成分を合成した光を、投影光学系２５４へと出力する。
【００４９】
投影光学系２５４は、色合成部２５３から出力された合成光をスクリーンに投影するためのものであり、複数のレンズ、及びレンズ駆動用のアクチュエータを有している。投影光学系２５４は、光学系制御部２５５の制御に基づいて、アクチュエータによりレンズを駆動することで、投影画像３０の拡大、縮小及び焦点調整等を行うことができる。
【００５０】
光学系制御部２５５は、投影光学系２５４を制御するマイクロプロセッサを有する。光学系制御部２５５が、専用のマイクロプロセッサを有する代わりに、ＣＰＵ１１が光学系制御部２５５と同様の処理を実行してもよい。
【００５１】
以上の構成により、プロジェクタ１は、画像入力部１５、記録再生部１６、撮像部１７又は通信部１８を介して入力された表示画像にメニュー画像４０が重畳された投影画像３０を、プロジェクタ１の設置状態及び複数のプロジェクタ１の構成状態によらず、視聴者にも操作者にも適した態様でスクリーン２に表示させることができる。
【００５２】
続いて、画像処理部２１の詳細な構成及び動作について説明する。
図４は、画像処理部２１の構成を示す図である。画像処理部２１は、画像変換部２１１、ＯＳＤ（On-Screen Display）重畳部２１２、及び画像反転部２１３を含む。画像処理部２１は、ＣＰＵ１１の制御に基づいてタイミング信号に同期して動作し、表示画像にメニュー画像４０が重畳されるとともに、設置状態に応じて適切な状態に変換された投影画像３０を出力する。タイミング信号は、表示画像の供給元から供給される、表示画像に同期した垂直同期信号、水平同期信号及びクロック等の信号である。画像処理部２１は、タイミング信号に基づいて内部で生成し直したタイミング信号を用いて動作してもよい。
【００５３】
画像入力部１５、記録再生部１６、撮像部１７又は通信部１８から入力された表示画像データは、画像変換部２１１に入力される。画像変換部２１１は、ＣＰＵ１１の制御に基づいて、表示画像に各種の画像処理及び変換処理を施す。画像変換部２１１は、画像処理を施した後の画像データをＯＳＤ重畳部２１２に対して出力する。各種の画像処理及び変換処理は、画像信号のヒストグラム及びＡＰＬをはじめとする統計情報の取得、ＩＰ変換、フレームレート変換、解像度変換、γ変換、色域変換、色補正及びエッジ強調等の画像変換処理である。
【００５４】
ＯＳＤ重畳部２１２は、画像作成部１１３が作成したメニュー画像４０を、画像変換部２１１から入力された画像データに重畳することにより、ＯＳＤ重畳画像データを生成する。ＯＳＤ重畳部２１２は、生成したＯＳＤ重畳画像データを画像反転部２１３に対して出力する。
【００５５】
画像反転部２１３は、ＣＰＵ１１から入力される左右反転又は上下反転の指示に応じて、ＯＳＤ重畳画像データに左右反転処理又は上下反転処理を施すことにより投影画像データを生成する。画像反転部２１３は、生成した投影画像データを画像出力部２５に対して出力する。
【００５６】
図５は、プロジェクタ１の設置状態、及び複数のプロジェクタ１の構成状態の組み合わせごとに、画像処理部２１が表示画像をどのように変換するかを示す表である。図５に示すように、画像処理部２１は、設置状態が天吊り投影用の設置状態である場合に、表示画像を上下反転させ、設置状態が天吊り設置状態でない場合に、表示画像を上下反転させない。
【００５７】
また、画像処理部２１は、設置状態がリア投影用のリア設置状態であり、かつ天吊り設置状態でない場合、及び設置状態がフロント投影用のフロント設置状態であり、かつ天吊り設置状態である場合に、表示画像を左右反転させる。画像処理部２１は、設置状態がフロント設置状態であり、かつ天吊り設置状態でない場合、及び設置状態がリア設置状態であり、かつ天吊り設置状態である場合に、表示画像を左右反転させない。
【００５８】
また、画像処理部２１は、設定状態がリア設置状態であり、かつ構成状態がマルチ設置状態である場合に、複数のプロジェクタ１の夫々が投影する画像を、フロント設置状態である場合に投影する画像と入れ替える。例えば、プロジェクタ１ｃの画像処理部２１は、フロント設置状態で、図１Ａ（ａ）に示したように文字Ｃが付された投影画像３０ｃを表示する場合、リア設置状態である場合に、図２（ｂ）に示したように、文字Ｃが付された投影画像３０ｃを表示する。
【００５９】
図６は、プロジェクタ１の設置状態、及び複数のプロジェクタ１の構成状態の組み合わせごとに、画像処理部２１がメニュー画像４０をどのように変換するかを示す表である。画像処理部２１は、設置状態及び構成状態によらず、画像作成部１１３から入力されたメニュー画像４０を上下方向に反転させない。また、画像処理部２１は、設置状態がリア設置状態である場合に、画像作成部１１３から入力されたメニュー画像４０を左右反転する。
【００６０】
［プロジェクタ１における動作手順］
図７は、プロジェクタ１における動作手順を説明するためのフローチャートである。図７に示す動作は、ＣＰＵ１１が、ＲＯＭ１２に記憶された制御プログラムに基づいて、各機能ブロックを制御することにより実行されるものである。図７のフローチャートは、操作部１４又はリモコン（不図示）における操作入力により、操作者がプロジェクタ１の電源のオンを指示した時点から開始している。
【００６１】
ＣＰＵ１１は、プロジェクタ１の電源をオンするための操作者の指示を取得すると、プロジェクタ１の各部への電源の供給を開始し、投影開始処理を実行する（Ｓ１１）。具体的には、ＣＰＵ１１は、光源制御部２２に指示して光源２３の点灯制御を開始し、液晶制御部２５２に指示して液晶素子２５１の駆動制御を開始し、画像処理部２１の初期設定を行う。
【００６２】
次に、ＣＰＵ１１は、画像入力部１５から入力された画像データを含む画像信号に変化があったか否かを判定する（Ｓ１２）。ＣＰＵ１１は、画像信号に変化がないと判定した場合（Ｓ１２においてＮｏ）、ステップＳ１４に進む。ＣＰＵ１１は、画像信号に変化があったと判定した場合（Ｓ１２においてＹｅｓ）、入力切替処理を実行する（Ｓ１３）。具体的には、ＣＰＵ１１は、入力された画像信号の解像度及びフレームレート等を検知して、画像信号に適したタイミングで画像信号をサンプリングする。
【００６３】
続いて、ＣＰＵ１１は、ユーザ操作があったか否かを判定する（Ｓ１４）。ＣＰＵ１１は、ユーザによる操作がなかったと判定した場合（Ｓ１４においてＮｏ）、ステップＳ１７に進む。ＣＰＵ１１は、ユーザによる操作が行われたと判定した場合（Ｓ１４においてＹｅｓ）、操作が動作の終了を指示する終了操作か否かを判定する（Ｓ１５）。ＣＰＵ１１は、ユーザによる操作が終了のための操作であった場合（Ｓ１５においてＹｅｓ）、投影終了処理を実行し、投影動作を終了する（Ｓ２０）。具体的には、ＣＰＵ１１は、光源制御部２２に指示して光源２３を消灯させ、液晶制御部２５２に指示して液晶素子２５１の駆動を停止させ、設定情報をＲＯＭ１２に保存させる。
【００６４】
ＣＰＵ１１は、ユーザ操作が終了操作でなかった場合（Ｓ１５においてＮｏ）、ユーザ操作の内容に対応したユーザ処理を実行する（Ｓ１６）。例えば、ＣＰＵ１１は、設置状態に関する設定、入力信号種別の設定、画像処理のパラメータの設定、及び情報の表示等である。
【００６５】
続いて、ＣＰＵ１１は、通信部１８からコマンド受信があったか否かを判定する（Ｓ１７）。ＣＰＵ１１は、コマンド受信がないと判定した場合（Ｓ１７においてＮｏ）、ステップＳ１２に戻る。ＣＰＵ１１は、コマンド受信があったと判定した場合（Ｓ１７においてＹｅｓ）、受信したコマンドが終了操作を示しているか否かを判定する（Ｓ１８）。ＣＰＵ１１は、受信したコマンドが終了操作を示していると判定した場合（Ｓ１８においてＹｅｓ）、ステップＳ２０に進む。ＣＰＵ１１は、受信したコマンドが終了操作ではなかったことを示している場合（Ｓ１８においてＮｏ）、受信したコマンドの内容に対応したコマンド処理を実行する（Ｓ１９）。
【００６６】
図８は、ＣＰＵ１１がプロジェクタ１の設置状態に応じて投影画像３０の態様を決定する処理のフローチャートである。設置状態は、操作部１４において操作者が入力した内容、又は通信部１８を介して取得した外部装置において操作者が入力した内容に基づいて、ＣＰＵ１１がＲＡＭ１３に記録する。
【００６７】
まず、ＣＰＵ１１は、ＲＡＭ１３に設定されている設置状態を読み込み、設置状態が天吊り設置状態であるか否かを判定する（Ｓ２１）。ＣＰＵ１１は、設置状態が天吊り設置状態でない場合（Ｓ２１においてＮｏ）、ステップＳ２３に遷移する。ＣＰＵ１１は、設置状態が天吊り設置状態である場合（Ｓ２１においてＹｅｓ）、画像反転部２１３に指示し、投影画像３０を上下左右反転させた後に（Ｓ２２）、ステップＳ２３に遷移する。
【００６８】
ステップＳ２３において、ＣＰＵ１１は、ＲＡＭ１３に設定されている設置状態を読み込み、設置状態がリア設置状態である場合（Ｓ２３においてＹｅｓ）、ステップＳ２４に遷移し、リア設置状態でない場合（Ｓ２３においてＮｏ）、処理を終了する。ステップＳ２４において、ＣＰＵ１１は、画像反転部２１３に投影画像３０を左右反転させ、処理を終了する。さらに、マスター装置に設定されているプロジェクタ１のＣＰＵ１１は、設置状態がマルチ設置状態であった場合、図８に示す処理の前後のいずれかのタイミングにおいて、スレーブ装置に設定されているプロジェクタ１に対して、表示画像を入れ替える指示を通知する。上記の処理によって、投影画像３０に含まれる表示画像は、設置状態に応じて、図５に示したように上下反転、左右反転、表示画像入替が施される。
【００６９】
図９は、ＣＰＵ１１の画像作成部１１３がＯＳＤ画像としてのメニュー画像４０を作成する処理のフローチャートである。画像作成部１１３は、ＲＡＭ１３に設定されている設置状態を読み込む（Ｓ３１）。続いて、画像作成部１１３は、ステップＳ３１においてＲＡＭ１３から読み込んだ設置状態に基づいてメニュー画像４０を作成する（Ｓ３２）。続いて、画像作成部１１３は、作成したメニュー画像４０をＯＳＤ画像としてＯＳＤ重畳部２１２に設定する（Ｓ３３）。
【００７０】
画像作成部１１３が作成したメニュー画像４０は、画像処理部２１において、図６に示したように上下反転、左右反転、配置入替が施される。具体的には、ＯＳＤ重畳部２１２が、画像作成部１１３が作成したメニュー画像４０に基づいてＯＳＤ重畳画像を作成した後に、画像反転部２１３が図５に示した反転処理を施す。そこで、画像作成部１１３は、メニュー画像４０作成時に、投影画像３０及びメニュー画像４０の両方を反転する必要があるリア設置状態において、左右反転を施す。
【００７１】
図１０は、マルチ投影の際に画像作成部１１３が作成するメニュー画像４０を示す図である。設置情報がフロントマルチ設置状態又は天吊りマルチ設置状態を示している場合、画像処理部２１が上下反転、左右反転及び配置入替のいずれも施さないので、画像作成部１１３は、図１０（ａ）に示すようなデフォルト状態のメニュー画像４０を作成する。そして、画像処理部２１は、図１０（ａ）に示すメニュー画像４０を含む投影画像３０を生成する。
【００７２】
設置情報が、設置状態がリアマルチ投影又はリア天吊りマルチ投影であることを示している場合、画像処理部２１が左右反転処理を施すとともに、表示画像の配置の入替が施されるので、画像作成部１１３は、図１０（ｂ）に示すようなメニュー画像４０を作成する。具体的には、画像作成部１１３は、構成情報が示す複数のプロジェクタ１の配置順に基づいて、デフォルト状態のメニュー画像４０に対して、メニュー画像４０内の各プロジェクタ１に対応する操作領域の配置を入れ替える。また、画像作成部１１３は、設置情報がリアマルチ設置状態及びリア天吊りマルチ設置状態を示していることに基づいて、操作領域の配置を入れ替えた後のメニュー画像４０の左右を反転する。そして、画像処理部２１は、図１０（ｂ）に示すメニュー画像４０の左右を反転することにより、図１０（ｃ）に示すメニュー画像４０を含む投影画像３０を生成する。
【００７３】
以上説明したように、第１の実施形態に係るプロジェクタ１は、画像作成部１１３が、リア投影及び天吊り投影等のプロジェクタ１の設置状態、並びにマルチ投影の際の複数のプロジェクタ１の構成に対応するメニュー画像４０を生成する。そして、画像処理部２１は、メニュー画像４０を表示画像に重畳させた後に、設置状態に応じて画像を反転させた投影画像３０を生成し、画像出力部２５が投影画像３０を出力する。このようにすることで、複数のプロジェクタ１を連動させるマルチ投影であり、かつリア投影の場合に、操作者が操作しやすいメニュー画像４０を表示することができる。操作者は、投影画像３０ａ，３０ｂ，３０ｃの配置順に対応したメニュー画像４０を見ながら、一台のプロジェクタ１ｃを操作して、プロジェクタ１ａ，１ｂの設定を変更することができるので、操作性が向上する。
【００７４】
＜第２の実施形態＞
第１の実施形態に係るプロジェクタ１においては、ＯＳＤ重畳部２１２が、画像作成部１１３が作成したメニュー画像４０を表示画像に重畳した後に、画像反転部２１３が反転処理を施すことにより投影画像３０を生成した。これに対して、第２の実施形態に係るプロジェクタ１においては、画像反転部２１３が、表示画像に反転処理を施して反転画像を生成した後に、ＯＳＤ重畳部２１２が、反転画像にメニュー画像４０を重畳することにより投影画像３０を生成する点で、第１の実施形態と異なり、他の点で同じである。以下、第１の実施形態と異なる点を中心に説明する。
【００７５】
図１１は、第２の実施形態に係る画像処理部２１の構成を示す図である。図４に示した第１の実施形態に係る画像処理部２１の構成と比較すると、ＯＳＤ重畳部２１２及び画像反転部２１３の配置が異なっている。画像反転部２１３は、ＣＰＵ１１の制御に基づいて、表示画像を左右反転することにより反転画像を生成し、生成した反転画像をＯＳＤ重畳部２１２に対して出力する。ＯＳＤ重畳部２１２は、ＣＰＵ１１の制御に基づいて、画像作成部１１３が作成したメニュー画像４０をＯＳＤ画像として反転画像に重畳することにより投影画像３０を生成し、投影画像３０を画像出力部２５に対して出力する。
【００７６】
図１２は、プロジェクタ１の設置状態、及び複数のプロジェクタ１の構成状態の組み合わせごとに、第２の実施形態に係る画像処理部２１がメニュー画像４０をどのように変換するかを示す表である。画像処理部２１は、設置状態が天吊り投影であることを示している場合に、その他の条件によらず、画像作成部１１３から入力されたメニュー画像４０を上下反転及び左右反転することにより、投影画像３０を生成する。
【００７７】
第２の実施形態に係る画像処理部２１は、第１の実施形態に係る画像処理部２１と比べて、画像反転部２１３がＯＳＤ重畳部２１２よりも先に処理を実行する点が異なる。その結果、画像作成部１１３が設置情報に基づいて作成するメニュー画像４０の態様が、図１０に示した第１の実施形態におけるメニュー画像４０の態様と異なる。
【００７８】
図１３は、マルチ投影の際に第２の実施形態に係る画像作成部１１３が作成するメニュー画像４０を示す図である。
フロントマルチ投影の場合、画像処理部２１は上下反転及び左右反転を行わず、表示画像の配置の入れ替えも施されないので、画像作成部１１３は、図１３（ａ）に示すメニュー画像４０を作成する。リアマルチ投影の場合、画像処理部２１は上下反転及び左右反転を行わず、表示画像の配置の入れ替えが施されるので、画像作成部１１３は、図１３（ｂ）に示すメニュー画像４０を作成する。
【００７９】
天吊りマルチ投影の場合、画像処理部２１は上下反転及び左右反転を行うが、表示画像の配置の入れ替えが施されないので、画像作成部１１３は、図１３（ｃ）に示すメニュー画像４０を作成する。リア天吊りマルチ投影の場合、画像処理部２１は上下反転及び左右反転を行い、表示画像の配置の入れ替えも施されるので、画像作成部１１３は、図１３（ｄ）に示すメニュー画像４０を作成する。
【００８０】
＜第３の実施形態＞
第１の実施形態においては、プロジェクタ１ａ，１ｂ，１ｃが、夫々に接続された外部装置からの制御に基づいて、入力された表示画像のうち、各プロジェクタ１が投影すべき領域の表示画像に基づく投影画像３０を生成した。これに対して、第３の実施形態に係るプロジェクタ１ａ，１ｂ，１ｃは、プロジェクタ１ａ，１ｂ，１ｃのうち、マスター装置に設定されたプロジェクタ１（例えば、プロジェクタ１ｃ）の制御に基づいて、各プロジェクタ１が投影すべき領域の表示画像に基づく投影画像３０を生成する点で、第１の実施形態と異なる。また、第３の実施形態は、マルチ投影時に、プロジェクタ１ａ，１ｂ，１ｃが縦方向に並んで設置されているか横方向に並んで設置されているかに基づいて処理を変更する点で、第１の実施形態と異なる。
【００８１】
プロジェクタ１ａ，１ｂは、マスター装置となるプロジェクタ１ｃに、通信部１８及びケーブル（不図示）を介して接続されている。マスター装置に設定されているプロジェクタ１ｃは、設置情報及び構成情報の少なくとも一つを、スレーブ装置に設定されているプロジェクタ１ａ，１ｂに送信する。また、プロジェクタ１ｃは、プロジェクタ１ａ，１ｂに投影画像３０を配信することもできる。
【００８２】
図１４は、マスター装置であるプロジェクタ１ｃのＣＰＵ１１が、プロジェクタ１ａ，１ｂ，１ｃの設置状態に応じて、投影画像３０の態様を決定する処理のフローチャートである。
まず、ＣＰＵ１１は、ＲＡＭ１３に設定されている設置状態を読み込み、設置状態が天吊り設置状態であるか否かを判定する（Ｓ４１）。ＣＰＵ１１は、設置状態が天吊り設置状態でない場合（Ｓ４１においてＮｏ）、ステップＳ４５に遷移する。ＣＰＵ１１は、設置状態が天吊り設置状態である場合（Ｓ４１においてＹｅｓ）、画像反転部２１３に対して投影画像３０を上下左右反転するように指示する（Ｓ４２）。
【００８３】
続いて、ＣＰＵ１１は、設置状態が、縦方向に複数のプロジェクタが並べられている縦方向マルチ投影であるか否かを判定する（Ｓ４３）。ＣＰＵ１１は、縦方向マルチ投影でないと判定した場合（Ｓ４３においてＮｏ）、ステップＳ４５に遷移する。ＣＰＵ１１は、縦方向マルチ投影であると判定した場合（Ｓ４３においてＹｅｓ）、ステップＳ４４に遷移し、マルチ投影を構成するプロジェクタ１ａ，１ｃが投影する表示画像を入れ替えるために、通常の縦方向マルチ投影をする場合にプロジェクタ１ｃが投影する表示画像（例えば、投影画像３０の一番下の領域に対応する表示画像）をプロジェクタ１ａに配信する（Ｓ４４）。
【００８４】
続いて、ＣＰＵ１１は、設置状態がリア投影であるか否かを判定する（Ｓ４５）。ＣＰＵ１１は、リア投影でないと判定した場合（Ｓ４５においてＮｏ）、処理を終了する。ＣＰＵ１１は、リア投影であると判定した場合（Ｓ４５においてＹｅｓ）、ステップＳ４６に遷移し、画像反転部２１３に対して投影画像３０を左右反転するように指示する（Ｓ４６）。
【００８５】
続いて、ＣＰＵ１１は、設置状態が、横方向に複数のプロジェクタが並べられている横方向マルチ投影であるか否かを判定する（Ｓ４７）。ＣＰＵ１１は、横方向マルチ投影でないと判定した場合（Ｓ４７においてＮｏ）、処理を終了する。ＣＰＵ１１は、横方向マルチ投影であると判定した場合（Ｓ４７においてＹｅｓ）、ステップＳ４８に遷移し、マルチ投影を構成するプロジェクタ１ａ，１ｃが投影する表示画像を入れ替えるために、横方向のフロントマルチ投影をする場合にプロジェクタ１ｃが投影する表示画像（例えば、投影画像３０の左端の領域に対応する表示画像）をプロジェクタ１ａに配信する（Ｓ４８）。
【００８６】
以上、本発明を実施の形態を用いて説明したが、本発明の技術的範囲は上記実施の形態に記載の範囲には限定されず、その要旨の範囲内で種々の変形及び変更が可能である。
【符号の説明】
【００８７】
１・・・プロジェクタ
１１・・・ＣＰＵ
１１１・・・設置情報取得部
１１２・・・構成情報取得部
２５・・・画像出力部
【図１Ａ】
0006545034.tif 000002
【図１Ｂ】
0006545034.tif 000003
【図２】
0006545034.tif 000004
【図３】
0006545034.tif 000005
【図４】
0006545034.tif 000006
【図５】
0006545034.tif 000007
【図６】
0006545034.tif 000008
【図７】
0006545034.tif 000009
【図８】
0006545034.tif 000010
【図９】
0006545034.tif 000011
【図１０】
0006545034.tif 000012
【図１１】
0006545034.tif 000013
【図１２】
0006545034.tif 000014
【図１３】
0006545034.tif 000015
【図１４】
0006545034.tif 000016